(57)【要約】【課題】部品搭載面積や部品コストの削減を図る。【解決手段】携帯端末１００が閉じた状態で筐体２００と筐体３００とが対向する面に設けられ、表示部２３０が表示する画面の明るさを調整するために照度を測定する照度計２１０が測定した照度に基づいて、制御部３１０が、携帯端末１００が開いた状態であるかどうかを判定する。【選択図】図１
2012119964.tif 000002
【特許請求の範囲】
【請求項１】
第１および第２の筐体から構成された折り畳み式またはスライド式の携帯端末であって、
画面を表示する表示部と、
当該携帯端末が閉じた状態で前記第１の筐体と前記第２の筐体とが対向する面に設けられ、前記表示部が表示する画面の明るさを調整するために照度を測定する照度計と、
前記照度計が測定した照度に基づいて、当該携帯端末が開いた状態であるかどうかを判定する制御部とを有する携帯端末。
【請求項２】
請求項１に記載の携帯端末において、
あらかじめ設定された閾値を記憶する記憶部を有し、
前記制御部は、前記照度計が測定した照度と前記閾値とを比較し、該比較の結果に基づいて、当該携帯端末が開いた状態であるかどうかを判定することを特徴とする携帯端末。
【請求項３】
請求項２に記載の携帯端末において、
前記制御部は、前記比較の結果、前記照度計が測定した照度が前記閾値を超えている場合、当該携帯端末が開いた状態であると判定し、前記照度計が測定した照度が前記閾値以下である場合、当該携帯端末が閉じた状態であると判定することを特徴とする携帯端末。
【請求項４】
請求項２に記載の携帯端末において、
前記記憶部は、複数の時間帯に応じた前記閾値をそれぞれ記憶し、
前記制御部は、前記照度計が測定した照度と現在の時刻が含まれる前記時間帯に応じた閾値とを比較することを特徴とする携帯端末。
【請求項５】
請求項２に記載の携帯端末において、
前記記憶部は、前記閾値として、第１の閾値と、該第１の閾値よりも小さな値である第２の閾値とを記憶し、
前記制御部は、前記比較の結果、前記照度計が測定した照度が前記第１の閾値を超えた場合、当該携帯端末が開いた状態になったと判定し、その後、前記照度計が測定した照度が前記第２の閾値以下となった場合、当該携帯端末が閉じた状態になったと判定することを特徴とする携帯端末。
【請求項６】
請求項２に記載の携帯端末において、
前記記憶部は、前記閾値として、第３の閾値と、該第３の閾値よりも大きな値である第４の閾値とを記憶し、
前記制御部は、前記比較の結果、前記照度計が測定した照度が前記第３の閾値を超えてから所定の時間内に前記照度計が測定した照度が前記第４の閾値を超えた場合、当該携帯端末が開いた状態になったと判定することを特徴とする携帯端末。
【請求項７】
請求項２に記載の携帯端末において、
前記記憶部は、前記閾値として、第５の閾値と、該第５の閾値よりも小さな値である第６の閾値とを記憶し、
前記制御部は、前記比較の結果、前記照度計が測定した照度が前記第５の閾値以下となってから所定の時間内に前記照度計が測定した照度が前記第６の閾値以下となった場合、当該携帯端末が閉じた状態になったと判定することを特徴とする携帯端末。
【請求項８】
請求項１に記載の携帯端末において、
当該携帯端末の動きを検出する加速度センサを有し、
前記制御部は、前記照度計が測定した照度と、前記加速度センサが検出した当該携帯端末の動きとに基づいて、当該携帯端末が開いた状態であるかどうかを判定することを特徴とする携帯端末。
【請求項９】
第１および第２の筐体から構成され、閉じた状態で前記第１の筐体と前記第２の筐体とが対向する面に照度を測定する照度計が設けられた折り畳み式またはスライド式の携帯端末の開閉状態を検出する状態検出方法であって、
前記照度計が照度を測定する処理と、
前記照度計が測定した照度に基づいて、当該携帯端末が開いた状態であるかどうかを判定する処理とを行う状態検出方法。
【請求項１０】
第１および第２の筐体から構成され、閉じた状態で前記第１の筐体と前記第２の筐体とが対向する面に照度を測定する照度計が設けられた折り畳み式またはスライド式の携帯端末に、
前記照度を測定する手順と、
前記測定した照度に基づいて、当該携帯端末が開いた状態であるかどうかを判定する手順とを実行させるためのプログラム。
【発明の詳細な説明】
【技術分野】
【０００１】
本発明は、開閉状態を検出する携帯端末、状態検出方法およびプログラムに関する。
【背景技術】
【０００２】
携帯端末のスタイルとして、折り畳み式やスライド式が市場に多く出回っている。
【０００３】
このような、折り畳み式の携帯端末やスライド式の携帯端末は、携帯端末を閉じた状態では、液晶モジュール等の表示部（ディスプレイ）を閲覧することができず、情報を入力するためのボタンキーの操作も行うことができない。
【０００４】
そのため、携帯端末が開いた状態であるか、または閉じた状態であるかを検出（開閉検出）し、携帯端末が閉じた状態であることを検出した場合は、表示部の液晶やバックライトの電源を切るなどして、無駄な電力を消費しないようにしている。
【０００５】
この開閉検出には、磁石とホール素子とを用いたものが考えられている（例えば、特許文献１，２参照。）。
【０００６】
図１３は、磁石とホール素子とを用いて開閉検出を行う携帯端末の内部構成の一例を示す図である。
【０００７】
図１３に示した携帯端末１０００は、筐体２０００と筐体３０００との２つの筐体から構成されている。
【０００８】
また、筐体２０００には、照度計２１００と、加速度センサ２２００と、表示部２３００と、ホール素子２４００とが設けられている。
【０００９】
照度計２１００は、携帯端末１０００の外部の照度を測定する。この照度計２１００が測定した結果は、表示部２３００に表示される画面の明るさを調整するために用いられる。例えば、照度計２１００が測定した照度が明るい場合は、画面の明るさを明るくし、また、照度計２１００が測定した照度が暗い場合は、画面の明るさを暗くするといった制御が行われる。
【００１０】
加速度センサ２２００は、携帯端末１０００の動作として加速度を検出する。
【００１１】
表示部２３００は、画面を表示する液晶モジュール等のディスプレイである。
【００１２】
ホール素子２４００は、磁石３３００によって発生する磁界を検出する。
【００１３】
また、筐体３０００には、制御部３１００と、記憶部３２００と、磁石３３００とが設けられている。
【００１４】
制御部３１００は、これら構成要素を含む携帯端末１０００全体を制御する。また、制御部３１００は、ホール素子２４００が磁界を検出した場合、携帯端末１０００が閉じた状態であると判定し、ホール素子２４００が磁界を検出していない場合、携帯端末１０００が開いた状態であると判定する。
【００１５】
記憶部３２００は、所定の情報を記憶する。
【００１６】
磁石３３００は、磁界を発生する一般的な磁石である。
【００１７】
図１４は、図１３に示した携帯端末１０００の外観図の一例である。ここでは、携帯端末１０００が、折り畳み式である場合を例に挙げて示している。
【００１８】
図１４に示すように、携帯端末１０００を折り畳むことにより、筐体２０００と筐体３０００とが重なる場合、ホール素子２４００と磁石３３００とが重なるように配置されている。これにより、携帯端末１０００の開閉状態を、ホール素子２４００と磁石３３００とによって検出することができる。
【先行技術文献】
【特許文献】
【００１９】
【特許文献１】特開２００６−１９１４３８号公報
【特許文献２】特開２００８−０６７１９７号公報
【発明の概要】
【発明が解決しようとする課題】
【００２０】
しかしながら、上述したホール素子２４００および磁石３３００は、携帯端末１０００の開閉検出のためのみ使用され、それ以外の用途では使用されない。
【００２１】
一方、近年の携帯端末は、高機能化のため、さまざまなセンサ等の多くの部品を搭載しており、部品搭載面積や部品コストが増大し、その削減が求められている。
【００２２】
そのため、１つの用途だけで用いられる２つの部品の搭載は、部品搭載面積や部品コストの削減を図ることができないという問題点がある。
【００２３】
本発明の目的は、上述した課題を解決する携帯端末、状態検出方法およびプログラムを提供することである。
【課題を解決するための手段】
【００２４】
本発明の携帯端末は、
第１および第２の筐体から構成された折り畳み式またはスライド式の携帯端末であって、
画面を表示する表示部と、
当該携帯端末が閉じた状態で前記第１の筐体と前記第２の筐体とが対向する面に設けられ、前記表示部が表示する画面の明るさを調整するために照度を測定する照度計と、
前記照度計が測定した照度に基づいて、当該携帯端末が開いた状態であるかどうかを判定する制御部とを有する。
【００２５】
また、本発明の状態検出方法は、
第１および第２の筐体から構成され、閉じた状態で前記第１の筐体と前記第２の筐体とが対向する面に照度を測定する照度計が設けられた折り畳み式またはスライド式の携帯端末の開閉状態を検出する状態検出方法であって、
前記照度計が照度を測定する処理と、
前記照度計が測定した照度に基づいて、当該携帯端末が開いた状態であるかどうかを判定する処理とを行う。
【００２６】
また、本発明のプログラムは、
第１および第２の筐体から構成され、閉じた状態で前記第１の筐体と前記第２の筐体とが対向する面に照度を測定する照度計が設けられた折り畳み式またはスライド式の携帯端末に実行させるためのプログラムであって、
前記照度を測定する手順と、
前記測定した照度に基づいて、当該携帯端末が開いた状態であるかどうかを判定する手順とを実行させる。
【発明の効果】
【００２７】
以上説明したように、本発明においては、部品搭載面積や部品コストの削減を図ることができる。
【図面の簡単な説明】
【００２８】
【図１】本発明の携帯端末の実施の一形態を示す図である。
【図２】図１に示した携帯端末の外観図の一例である。
【図３】本発明の携帯端末の他の実施の形態を示す図である。
【図４】図３に示した携帯端末の外観図の一例である。
【図５】図１に示した記憶部に記憶された閾値の一例を示す図である。
【図６】図１に示した記憶部に記憶された閾値の他の例を示す図である。
【図７】図１に示した記憶部に記憶された閾値の他の例を示す図である。
【図８】図１に示した記憶部に図５に示した閾値が記憶されている場合の状態検出方法のうち、携帯端末が閉状態から開状態となったかどうかを判定する方法を説明するためのフローチャートである。
【図９】図１に示した記憶部に図５に示した閾値が記憶されている場合の状態検出方法のうち、携帯端末が開状態から閉状態となったかどうかを判定する方法を説明するためのフローチャートである。
【図１０】図１に示した記憶部に記憶された閾値の他の例を示す図である。
【図１１】図１に示した記憶部に図１０に示した閾値が記憶されている場合の状態検出方法のうち、携帯端末が閉状態から開状態となったかどうかを判定する方法を説明するためのフローチャートである。
【図１２】図１に示した記憶部に図１０に示した閾値が記憶されている場合の状態検出方法のうち、携帯端末が開状態から閉状態となったかどうかを判定する方法を説明するためのフローチャートである。
【図１３】磁石とホール素子とを用いて開閉検出を行う携帯端末の内部構成の一例を示す図である。
【図１４】図１３に示した携帯端末の外観図の一例である。
【発明を実施するための形態】
【００２９】
以下に、本発明の実施の形態について図面を参照して説明する。
【００３０】
図１は、本発明の携帯端末の実施の一形態を示す図である。
【００３１】
本形態における携帯端末１００は図１に示すように、第１の筐体である筐体２００と、第２の筐体である筐体３００との２つの筐体から構成されている。また、筐体２００と筐体３００とは、フレキシブル基板やケーブル等で電気的に接続されている。なお、図１に示す携帯端末１００は、折り畳み式の携帯端末である。
【００３２】
また、筐体２００には、照度計２１０と、加速度センサ２２０と、表示部２３０とが設けられている。
【００３３】
また、筐体３００には、制御部３１０と、記憶部３２０とが設けられている。
【００３４】
照度計２１０は、携帯端末１００の外部の照度を測定する。照度計２１０は、一般的な携帯端末に設けられているものと同様に、表示部２３０に表示される画面の明るさを調整するためにも用いられる。例えば、照度計２１０が測定した照度が明るい場合は、画面の明るさを明るくし、また、照度計２１０が測定した照度が暗い場合は、画面の明るさを暗くするといった明るさの調整のためにも用いられる。また、照度計２１０は、測定した照度を制御部３１０へ出力する。
【００３５】
加速度センサ２２０は、携帯端末１００の動作として加速度を検出する３軸（３次元）測定可能なセンサである。また、加速度センサ２２０は、検出した加速度を制御部３１０へ出力する。
【００３６】
表示部２３０は、画面を表示するための液晶パネルやバックライトを含む液晶モジュール等のディスプレイである。
【００３７】
制御部３１０は、これら構成要素を含む携帯端末１００全体を制御する。また、制御部３１０は、照度計２１０から出力されてきた照度に基づいて、携帯端末１００が開いた状態であるかどうかを判定する。具体的な判定方法は、後述する。
【００３８】
記憶部３２０は、あらかじめ設定された閾値を記憶する。この閾値は、制御部３１０が、携帯端末１００が開いた状態であるかどうかを判定する際に用いる。
【００３９】
なお、照度計２１０、加速度センサ２２０、制御部３１０および記憶部３２０は、筐体２００と筐体３００とのどちらに配置されていてもかまわない。また、近年の携帯端末に搭載されている角速度センサが搭載されていても良い。また、一般的な携帯端末に搭載されている他の要素（例えば、通信部、入力部、スピーカー等）は、図１にて省略した。
【００４０】
図２は、図１に示した携帯端末１００の外観図の一例である。
【００４１】
図２に示すように、筐体２００と筐体３００とは、ヒンジ等で可動につながっている。
【００４２】
また、矢印付き破線で示すように、筐体２００と筐体３００とが開閉可能となっており、図２に示すような状態が開いた状態（開状態）であり、筐体２００と筐体３００とが重なっている状態が閉じた状態（閉状態）である。
【００４３】
また、図２に示すように、照度計２１０が、携帯端末１００が閉じた状態で筐体２００と筐体３００とが対向する面に設けられている。つまり、携帯端末１００が閉じた状態では、照度計２１０は、筐体２００と筐体３００とに覆われた状態となる。そのため、携帯端末１００が閉じた状態では、照度計２１０が測定する照度が暗く、携帯端末１００が開いた状態では、照度計２１０が測定する照度が明るい。
【００４４】
図３は、本発明の携帯端末の他の実施の形態を示す図である。
【００４５】
本形態における携帯端末１００は図３に示すように、図１に示した照度計２１０が筐体３００に設けられている点で、図１に示した形態と異なる。なお、図３に示す携帯端末１００は、スライド式の携帯端末である。
【００４６】
各構成要素の動きは、図１に示した形態と同じである。
【００４７】
図４は、図３に示した携帯端末１００の外観図の一例である。
【００４８】
図４に示すように、筐体２００と筐体３００とは、矢印付き破線で示すように筐体３００上を筐体２００がスライド移動できるような部品でつながっている。
【００４９】
また、図４に示すような状態が開いた状態（開状態）であり、筐体２００と筐体３００とが重なっている状態が閉じた状態（閉状態）である。
【００５０】
また、図２に示すように、照度計２１０が、携帯端末１００が閉じた状態で筐体２００と筐体３００とが対向する面に設けられている。つまり、携帯端末１００が閉じた状態では、照度計２１０は、筐体２００と筐体３００とに覆われた状態となる。そのため、携帯端末１００が閉じた状態では、照度計２１０が測定する照度が暗く、携帯端末１００が開いた状態では、照度計２１０が測定する照度が明るい。
【００５１】
以下、図１に示した形態を例に挙げて、制御部３１０における携帯端末１００の開閉検出の方法を説明する。
【００５２】
図５は、図１に示した記憶部３２０に記憶された閾値の一例を示す図である。
【００５３】
図１に示した記憶部３２０には図５に示すように、あらかじめ設定された閾値「Ａ」が記憶されている。この閾値「Ａ」は、照度を示す値である。制御部３１０は、この閾値を記憶部３２０から読み出し、照度計２１０から出力されてきた照度と比較し、比較の結果に基づいて、携帯端末１００が開いた状態であるかどうかを判定する。
【００５４】
具体的には、制御部３１０は、比較の結果、照度計から出力されてきた照度が記憶部３２０から読み出した閾値「Ａ」を超えている場合、携帯端末１００が開いた状態であると判定する。一方、制御部３１０は、比較の結果、照度計から出力されてきた照度が記憶部３２０から読み出した閾値「Ａ」以下である場合、携帯端末１００が閉じた状態であると判定する。
【００５５】
図６は、図１に示した記憶部３２０に記憶された閾値の他の例を示す図である。
【００５６】
図１に示した記憶部３２０には図６に示すように、あらかじめ設定された２つの閾値「Ｂ」（第１の閾値）および「Ｃ」（第２の閾値）が記憶されている。なお、閾値「Ｃ」は閾値「Ｂ」よりも小さな数値を示す（照度が暗い）値である。
【００５７】
閾値「Ｂ」は、制御部３１０が、携帯端末１００が閉じた状態から開いた状態へ変化したかどうかを判定するための照度の閾値である。つまり、制御部３１０は、携帯端末１００が閉じた状態である場合、閾値「Ｂ」を記憶部３２０から読み出し、照度計２１０から出力されてきた照度と比較し、比較の結果に基づいて、携帯端末１００が開いた状態になったかどうかを判定する。具体的には、携帯端末１００が閉じた状態であるとき、照度計２１０から出力されてきた照度と、記憶部３２０から読み出した閾値「Ｂ」とを比較し、比較の結果、照度計から出力されてきた照度が記憶部３２０から読み出した閾値「Ｂ」を超えた場合、携帯端末１００が開いた状態になったと判定する。
【００５８】
一方、閾値「Ｃ」は、制御部３１０が、携帯端末１００が開いた状態から閉じた状態へ変化したかどうかを判定するための照度の閾値である。つまり、制御部３１０は、携帯端末１００が開いた状態である場合、閾値「Ｃ」を記憶部３２０から読み出し、照度計２１０から出力されてきた照度と比較し、比較の結果に基づいて、携帯端末１００が閉じた状態になったかどうかを判定する。具体的には、携帯端末１００が開いた状態であるとき、照度計２１０から出力されてきた照度と、記憶部３２０から読み出した閾値「Ｃ」とを比較し、比較の結果、照度計から出力されてきた照度が記憶部３２０から読み出した閾値「Ｃ」以下となった場合、携帯端末１００が閉じた状態になったと判定する。
【００５９】
このように、携帯端末１００が閉じた状態から開いた状態を判定するための閾値と、当該閾値よりも小さな値である、携帯端末１００が開いた状態から閉じた状態を判定するための閾値との、２つの閾値を用いることにより、閾値周辺での照度の変化による開閉状態の変化が多発することを防ぐことができる。
【００６０】
また、記憶部３２０は、複数の時間帯に分けた閾値を記憶するものであっても良い。
【００６１】
図７は、図１に示した記憶部３２０に記憶された閾値の他の例を示す図である。
【００６２】
図１に示した記憶部３２０には図７に示すように、あらかじめ設定された２つの時間帯にそれぞれ応じた閾値「Ｄ」および「Ｅ」が記憶されている。図７に示した例では、時間帯として、６時から１８時（昼間帯）と、１８時から６時（夜間帯）とが記憶されている。
【００６３】
閾値「Ｄ」は、６時から１８時までの間に、制御部３１０が、携帯端末１００の開閉状態を判定するための照度の閾値である。つまり、制御部３１０は、６時から１８時までの間では、閾値「Ｄ」を記憶部３２０から読み出し、照度計２１０から出力されてきた照度と比較し、比較の結果に基づいて、携帯端末１００の開閉状態を判定する。具体的には、６時から１８時までの間では、制御部３１０は、比較の結果、照度計から出力されてきた照度が記憶部３２０から読み出した閾値「Ｄ」を超えている場合、携帯端末１００が開いた状態であると判定する。一方、制御部３１０は、比較の結果、照度計から出力されてきた照度が記憶部３２０から読み出した閾値「Ｄ」以下である場合、携帯端末１００が閉じた状態であると判定する。
【００６４】
また、閾値「Ｅ」は、１８時から６時までの間に、制御部３１０が、携帯端末１００の開閉状態を判定するための照度の閾値である。つまり、制御部３１０は、１８時から６時までの間では、閾値「Ｅ」を記憶部３２０から読み出し、照度計２１０から出力されてきた照度と比較し、比較の結果に基づいて、携帯端末１００の開閉状態を判定する。具体的には、１８時から６時までの間では、制御部３１０は、比較の結果、照度計から出力されてきた照度が記憶部３２０から読み出した閾値「Ｅ」を超えている場合、携帯端末１００が開いた状態であると判定する。一方、制御部３１０は、比較の結果、照度計から出力されてきた照度が記憶部３２０から読み出した閾値「Ｅ」以下である場合、携帯端末１００が閉じた状態であると判定する。
【００６５】
昼間帯と夜間帯とでは、周囲の明るさ（照度）が異なるため、このようにそれぞれについての閾値を設定し、現在の時刻が含まれる時間帯と対応付けられている閾値を用いて携帯端末１００の開閉を判定することで、より正確な判定を行うことができる。
【００６６】
以下に、図１に示した記憶部３２０に図５に示した閾値が記憶されている場合の状態検出方法について説明する。
【００６７】
まずは、携帯端末１００が閉状態から開状態となったかどうかを判定する方法について説明する。
【００６８】
図８は、図１に示した記憶部３２０に図５に示した閾値が記憶されている場合の状態検出方法のうち、携帯端末１００が閉状態から開状態となったかどうかを判定する方法を説明するためのフローチャートである。
【００６９】
携帯端末１００が閉じた状態から、照度計２１０が測定した照度と、記憶部３２０に記憶されている閾値とが制御部３１０によって比較される（ステップＳ１）。
【００７０】
比較の結果、照度計２１０が測定した照度が記憶部３２０に記憶されている閾値を超えた場合、制御部３１０によって携帯端末１００は開状態であると判定される（ステップＳ２）。
【００７１】
一方、比較の結果、照度計２１０が測定した照度が記憶部３２０に記憶されている閾値を超えていない場合、携帯端末１００の開閉状態は閉状態のままとなる。
【００７２】
次に、携帯端末１００が開状態から閉状態となったかどうかを判定する方法について説明する。
【００７３】
図９は、図１に示した記憶部３２０に図５に示した閾値が記憶されている場合の状態検出方法のうち、携帯端末１００が開状態から閉状態となったかどうかを判定する方法を説明するためのフローチャートである。
【００７４】
携帯端末１００が開いた状態から、照度計２１０が測定した照度と、記憶部３２０に記憶されている閾値とが制御部３１０によって比較される（ステップＳ１１）。
【００７５】
比較の結果、照度計２１０が測定した照度が記憶部３２０に記憶されている閾値以下である場合、制御部３１０によって携帯端末１００は閉状態であると判定される（ステップＳ１２）。
【００７６】
一方、比較の結果、照度計２１０が測定した照度が記憶部３２０に記憶されている閾値以下ではない場合、携帯端末１００の開閉状態は開状態のままとなる。
【００７７】
以下に、携帯端末１００の開閉状態をさらに正確に判定するための方法を説明する。
【００７８】
図１０は、図１に示した記憶部３２０に記憶された閾値の他の例を示す図である。
【００７９】
図１に示した記憶部３２０には図１０に示すように、あらかじめ設定された４つの閾値である、開始閾値「Ｆ」（第３の閾値）、終了閾値「Ｇ」（第４の閾値）、開始閾値「Ｈ」（第５の閾値）および終了閾値「Ｉ」（第６の閾値）が記憶されている。
【００８０】
開始閾値「Ｆ」および終了閾値「Ｇ」は、制御部３１０が、携帯端末１００が閉じた状態から開いた状態へ変化したかどうかを判定するための照度の閾値である。ここで、終了閾値「Ｇ」は、開始閾値「Ｆ」の値よりも大きな値である。
【００８１】
一方、開始閾値「Ｈ」および終了閾値「Ｉ」は、制御部３１０が、携帯端末１００が開いた状態から閉じた状態へ変化したかどうかを判定するための照度の閾値である。ここで、終了閾値「Ｉ」は、開始閾値「Ｈ」の値よりも小さな値である。
【００８２】
これらの閾値を用いた状態検出方法を以下に説明する。
【００８３】
まずは、携帯端末１００が閉状態から開状態となったかどうかを判定する方法について説明する。
【００８４】
図１１は、図１に示した記憶部３２０に図１０に示した閾値が記憶されている場合の状態検出方法のうち、携帯端末１００が閉状態から開状態となったかどうかを判定する方法を説明するためのフローチャートである。
【００８５】
携帯端末１００が閉じた状態から、照度計２１０が測定した照度と、記憶部３２０に記憶されている開始閾値「Ｆ」とが制御部３１０によって比較される（ステップＳ２１）。
【００８６】
比較の結果、照度計２１０が測定した照度が記憶部３２０に記憶されている開始閾値「Ｆ」を超えた場合、制御部３１０によって、加速度センサ２２０が起動する（ステップＳ２２）。すると、加速度センサ２２０によって、携帯端末１００の３軸の加速度の測定が開始される。
【００８７】
また、制御部３１０によって、タイマが起動する（ステップＳ２３）。このタイマは、制御部３１０内に設けられている時間を計るものであっても良いし、制御部３１０外に設けられた時計等で時間を計るものであっても良い。
【００８８】
その後、照度計２１０が測定した照度と、記憶部３２０に記憶されている終了閾値「Ｇ」とが制御部３１０によって比較される（ステップＳ２４）。
【００８９】
比較の結果、照度計２１０が測定した照度が記憶部３２０に記憶されている終了閾値「Ｇ」を超えていない場合、制御部３１０によってタイマが満了したかどうかが判定される（ステップＳ２５）。タイマが満了したかどうかの判定は、起動したタイマが計った時間が、あらかじめ設定された値になったかどうかを判定することで行われる。このあらかじめ設定される値は、携帯端末１００の外部から利用者等によって入力され、携帯端末１００内部に保持されているものである。
【００９０】
タイマが満了していない場合、ステップＳ２４の処理が再度行われる。
【００９１】
一方、タイマが満了した場合は、加速度センサ２２０が測定した加速度（携帯端末１００の動き）の解析が、制御部３１０によって行われる（ステップＳ２６）。
【００９２】
そして、制御部３１０によって、加速度の解析の結果、携帯端末１００を開く動作の加速度パターンが検出されたかどうかが判定される（ステップＳ２７）。
【００９３】
加速度の解析の結果、携帯端末１００を開く動作の加速度パターンが検出された場合、制御部３１０によって携帯端末１００は開状態であると判定される（ステップＳ２８）。
【００９４】
また、ステップＳ２４における比較の結果、照度計２１０が測定した照度が記憶部３２０に記憶されている終了閾値「Ｇ」を超えている場合、ステップＳ２８の処理が行われる。
【００９５】
一方、ステップＳ２７にて、加速度の解析の結果、携帯端末１００を開く動作の加速度パターンが検出されなかった場合は、携帯端末１００の開閉状態の変化はないと判定され、このとき、照度計２１０によって照度が測定され（ステップＳ２９）、開始閾値「Ｆ」が現在測定された照度よりも少し大きな値に再設定される（ステップＳ３０）。その後、ステップＳ２１の処理が行われる。
【００９６】
次に、携帯端末１００が開状態から閉状態となったかどうかを判定する方法について説明する。
【００９７】
図１２は、図１に示した記憶部３２０に図１０に示した閾値が記憶されている場合の状態検出方法のうち、携帯端末１００が開状態から閉状態となったかどうかを判定する方法を説明するためのフローチャートである。
【００９８】
携帯端末１００が開いた状態から、照度計２１０が測定した照度と、記憶部３２０に記憶されている開始閾値「Ｈ」とが制御部３１０によって比較される（ステップＳ４１）。
【００９９】
比較の結果、照度計２１０が測定した照度が記憶部３２０に記憶されている開始閾値「Ｈ」以下である場合、制御部３１０によって、加速度センサ２２０が起動する（ステップＳ４２）。すると、加速度センサ２２０によって、携帯端末１００の３軸の加速度の測定が開始される。
【０１００】
また、制御部３１０によって、タイマが起動する（ステップＳ４３）。このタイマは、制御部３１０内に設けられている時間を計るものであっても良いし、制御部３１０外に設けられた時計等で時間を計るものであっても良い。
【０１０１】
その後、照度計２１０が測定した照度と、記憶部３２０に記憶されている終了閾値「Ｉ」とが制御部３１０によって比較される（ステップＳ４４）。
【０１０２】
比較の結果、照度計２１０が測定した照度が記憶部３２０に記憶されている終了閾値「Ｉ」以下ではない場合、制御部３１０によってタイマが満了したかどうかが判定される（ステップＳ４５）。タイマが満了したかどうかの判定は、起動したタイマが計った時間が、あらかじめ設定された値になったかどうかを判定することで行われる。このあらかじめ設定される値は、携帯端末１００の外部から利用者等によって入力され、携帯端末１００内部に保持されているものである。
【０１０３】
タイマが満了していない場合、ステップＳ４４の処理が再度行われる。
【０１０４】
一方、タイマが満了した場合は、加速度センサ２２０が測定した加速度（携帯端末１００の動き）の解析が、制御部３１０によって行われる（ステップＳ４６）。
【０１０５】
そして、制御部３１０によって、加速度の解析の結果、携帯端末１００を閉じる動作の加速度パターンが検出されたかどうかが判定される（ステップＳ４７）。
【０１０６】
加速度の解析の結果、携帯端末１００を閉じる動作の加速度パターンが検出された場合、制御部３１０によって携帯端末１００は閉状態であると判定される（ステップＳ４８）。
【０１０７】
また、ステップＳ４４における比較の結果、照度計２１０が測定した照度が記憶部３２０に記憶されている終了閾値「Ｉ」以下である場合、ステップＳ４８の処理が行われる。
【０１０８】
一方、ステップＳ４７にて、加速度の解析の結果、携帯端末１００を閉じる動作の加速度パターンが検出されなかった場合は、携帯端末１００の開閉状態の変化はないと判定され、このとき、照度計２１０によって照度が測定され（ステップＳ４９）、開始閾値「Ｈ」が現在測定された照度よりも少し小さな値に再設定される（ステップＳ５０）。その後、ステップＳ４１の処理が行われる。
【０１０９】
上述した各閾値の値は任意であるが、例えば、夜間帯である場合の閉状態から開状態への開始閾値は１０ルクス程度に設定しても良い。また、照度の目安として、太陽光では１０００ルクス以上、室内照明環境では１００〜１０００ルクス程度、照明なしの夜間は１０ルクス以下であり、照度は時間帯、状況により大きく異なることを考慮して設定することが好ましい。
【０１１０】
例えば、６時から１８時までの時間帯は、閾値を室内照明環境でも検出可能な１００ルクスとしても良い。一方、太陽光のない時間帯は、閾値を１０ルクス以下とし、加速度センサ２２０と組み合わせた開閉検出手段を使用する。
【０１１１】
以上、照度と閾値との比較を制御部３１０にて行ったが、照度計２１０にて、閾値以上の照度を検出した場合に制御部３１０に対して割り込みを発生させる方法も考えられる。
この場合、制御部３１０は照度を常にモニタする必要がなく、ある照度を超えた場合に動作を開始することができる。
【０１１２】
このように、携帯端末１００の開閉状態の判定に、ほかの用途ですでに装備されている照度計２１０や加速度センサ２２０を使用するため、一般的に携帯端末１００の開閉検出のためだけに用いられている磁石およびホール素子が不要となる。
【０１１３】
上述した携帯端末１００に設けられた各構成要素が行う処理は、目的に応じてそれぞれ作製された論理回路で行うようにしても良い。また、処理内容を手順として記述したコンピュータプログラム（以下、プログラムと称する）を携帯端末１００にて読取可能な記録媒体に記録し、この記録媒体に記録されたプログラムを携帯端末１００に読み込ませ、実行するものであっても良い。携帯端末１００にて読取可能な記録媒体とは、フロッピー（登録商標）ディスク、光磁気ディスク、ＤＶＤ、ＣＤなどの移設可能な記録媒体の他、携帯端末１００に内蔵された記憶部３２０、ＲＯＭ、ＲＡＭ等のメモリやＨＤＤ等を指す。この記録媒体に記録されたプログラムは、携帯端末１００に設けられた制御部３１０にて読み込まれ、制御部３１０の制御によって、上述したものと同様の処理が行われる。ここで、制御部３１０は、プログラムが記録された記録媒体から読み込まれたプログラムを実行するコンピュータとして動作するものである。
【符号の説明】
【０１１４】
１００    携帯端末
２００，３００    筐体
２１０    照度計
２２０    加速度センサ
２３０    表示部
３１０    制御部
３２０    記憶部
【図１】
2012119964.tif 000003
【図２】
2012119964.tif 000004
【図３】
2012119964.tif 000005
【図４】
2012119964.tif 000006
【図５】
2012119964.tif 000007
【図６】
2012119964.tif 000008
【図７】
2012119964.tif 000009
【図８】
2012119964.tif 000010
【図９】
2012119964.tif 000011
【図１０】
2012119964.tif 000012
【図１１】
2012119964.tif 000013
【図１２】
2012119964.tif 000014
【図１３】
2012119964.tif 000015
【図１４】
2012119964.tif 000016